(57)【要約】【課題】本発明の課題は、検査用塗料の剥離を容易にする検査用塗料の塗布構造と剥離容易な塗料を提供する。【解決手段】本発明により、被検査体に剥離塗料と検査用塗料を順に重ねて塗布した構造、又は、被検査体に剥離塗料と検査用塗料を混合塗布した構造と、被検査体に塗布する剥離塗料と検査用塗料を混合した剥離容易検査用塗料を提供する。【選択図】図１
2018062594.tif 000002
【特許請求の範囲】
【請求項１】
被検査体の表面に塗布し、被検査体の物理量の変化を検知する検査用塗料の一体的かつ容易な剥離を可能とするために、
引きはがし容易な塗料であって、前記引きはがしにより一体的に剥がれる剥離塗料と、前記被検査体の物理量の変化を検知することが可能な前記検査用塗料の混合体であることで、前記剥離塗料の助けを得て前記検査用塗料が容易に剥がれることを特徴とする剥離容易検査用塗料。
【請求項２】
前記剥離塗料と前記検査用塗料の混合比率を１／４以上としたことを特徴とする請求項１記載の剥離容易検査用塗料。
【請求項３】
被検査体の表面に塗布し、被検査体の物理量の変化を検知する検査用塗料の一体的かつ容易な剥離を可能とするために、
被検査体に、引きはがしにより一体的に剥がれる剥離塗料と塗料の物理量変化により被検査体の物理量の変化を検知することが可能な前記検査用塗料を順に重ねて塗布したことで、前記剥離塗料の助けを得て前記検査用塗料が容易に剥がれることを特徴とする検査用塗料の塗布構造。
【発明の詳細な説明】
【技術分野】
【０００１】
本発明は、検査用塗料で、新たな更新が必要な場合に簡単できれいに剥離可能な検査用塗料の塗布構造及び塗料に関するものである。
【背景技術】
【０００２】
感温、感圧などの検査具が知られている。一例をあげれば、感温検査具では、図３に示すものがある。これは、電気端子部の接続部等の緩みによる発熱を感温による色変化としてとらえるものであり、サーモキャップ（登録商標）や、サーモタイ（登録商標）等の商品名で市販されている。３−Ａの端子キャップ３１は、素材自体に感温色素が含まれていて、３−Ｂに示すように電線３３の接続端子３２に被せて使用される。発熱が無ければ有色であるが、発熱があり、所定の温度以上になると、脱色して白色になる。感温色素をロックタイに含ませたのが、サーモタイ３６−３７であり、３−Ｃのように接続端子３２の金属部に縛りつけて使用する。３−Ｄでは、感温色素をシール３８に含ませたもので、接続端子３２の金属カシメ部３５に貼り付けて使用する。
このように、感温以外に感圧などいろいろの検査具が使用されている。
ところで、このような検査具への要望として、狭いところ（隙間）、施工しにくいところ、任意形状体への施工が簡単に出来ることが必要とされ、このためには、図３のようなものよりむしろスプレー等で施工できる塗料検査材が嘱望される。然しながら、塗料検査材は、一度検査の状態が変わったら戻らない不可逆性検査具は再使用できないことや長期による検査具の劣化を考慮すると、更新をしなければならないが、更新するには、今まで施工していた塗料を綺麗に剥離する必要があった。然しながら、現状の検査用塗料は、綺麗に剥離できず、部分的残さがあったり、狭いところや複雑形状のところでは残差があったり、剥離できない場合もあった。そのため、再度塗布施工したときに見た目の汚さ以外に検査精度にまで影響することがあった。このように現状の不具合を解析してみると、検査用塗料の新たな要求特性を顕らかにしてみると、検査用塗料は、検査機能以外に、
剥離が綺麗に且つ簡単に出来る機能が必要であるという宿命を持っていることになる。この特徴は、大変重要なことでありながら、従来の文献でみても誰によっても指摘されておらず、対応されてもいなかった。
さて、感温、感圧など検査用塗料で知られているもので、塗料で被覆したところの温度や圧力が規定値を外れた場合に色の変化や電気抵抗の変化で検知できる。これらは、スプレーにより塗布できると一様に塗布できるので、極めて便利である。このようなものの先行出願を見ると、以下のようなものがある。
感圧塗料としては、多環式芳香族炭化水素化合物、遷移金属錯体、ポルフィリン誘導体が知られている。遷移金属錯体ではルテニウムピリジン錯体が特許文献１で知られている。
ポルフィリン誘導体では白金又はパラジウム中心金属にしたものが知られている。
感温塗料やインキでは、四ヨウ化水銀酸銀錯体が特許文献２に、ポリオレフィン樹脂とポリオール化合物及びイソシアネート化合物を含むものが特許文献３に、鉄トリアゾール錯体が特許文献４に、ユーロピウム多核錯体が特許文献５に、他にマイクロカプセルに封入したロイコ色素と有機酸などが知られている。
そして、これらに共通するものとして、センサとしての機能を果たしている。
ところで、上述したように、センサとして使用する場合に、一旦使用した後、新しい塗布状態に変えたい場合がある。特にセンス機能が可逆性でないために一度変化すると戻らない場合、又、性能の時間的劣化があり新たなものに変えたい場合、このような場合は、塗布を行った詳細な場所まで綺麗に、かつ簡単に前の塗布を除きたいとの必要性を述べたが、これは、通常は、容易ではなく、手間がかかる除去処理であった。
従来の検査塗料においては、剥離が綺麗に且つ簡単に出来ることが必要であるという特徴は全くに意識されておらず、検査用塗料と剥離容易性塗料を共用することで、この特徴を持った剥離容易な検査塗料は今まで存在しなかったわけである。
ところで、タイヤに塗る塗料のように鑑賞用や保護のための塗料として剥離性塗料があり、剥がせる塗料として知られている。
特許文献６、７、８、９では、剥離塗料が紹介されている。水系エマルジョン樹脂によるもの、パラフィンワックスエマルジョンによるもの、シリコン樹脂（シリコーン）によるもの、アニオン性ポリウレタンポリウレア分散体によるものなど多くが知られていて利用できる状態にある。
更に、特許文献１０、１１、１２では、剥離塗料とそれを得る手段が示されている。剥離塗料として利用することができる状態にある。
更に、特許文献１２、１３では、通常の保護のための塗料を剥離容易にするために、被塗布体に、水中乳化分散型ワックス類又はシリコン樹脂を含む塗料を下塗りし、乾燥後に、水中分散型ポリマーを上塗りして、上塗り塗料の剥離を容易にする方法が示されている。
勿論、剥離する機能があるだけであるが、剥離特性として利用できる。
検査用塗料の現状の欠点を分析し、隠れていた重要な特徴を顕らかにした結果、
検査用塗料の現有しない剥離容易性という特徴を付加できれば、容易にかつ綺麗に剥離できて検査塗料を更新でき、見た目の綺麗さ以外に安定した検査精度も確保できることとなる知見を得た。
【先行技術文献】
【特許文献】
【０００３】
【特許文献１】特開２００５−２９７６７
【特許文献２】特開２０１０−２４３２２
【特許文献３】特開２０１０−１８５０６０
【特許文献４】特開２０１２−５７０４９
【特許文献５】特開２００７−７１７１４
【特許文献６】特開２０１５−２３２０９９
【特許文献７】特開２０１５−２３１６１３
【特許文献８】特開２００１−９８２１４
【特許文献９】特開Ｈ０６−２２０３６６
【特許文献１０】特公Ｓ４８−１４７７０
【特許文献１１】特公Ｓ５０−１６８２２
【特許文献１２】特公Ｓ６１−７４６７８
【特許文献１３】特開２０１０−１００７１３
【発明の概要】
【発明が解決しようとする課題】
【０００４】
本発明の課題は、検査用塗料の剥離を容易にする検査用塗料の塗布構造と剥離容易な塗料を提供することである。
【課題を解決するための手段】
【０００５】
本発明にかかる検査用塗料の塗布構造は、被検査体に剥離塗料と検査用塗料を順に重ねて塗布した構造、又は、被検査体に剥離塗料と検査用塗料を混合塗布した構造であり、剥離容易検査用塗料は、剥離塗料と検査用塗料を混合したことを特徴とする。
以下、請求項に沿って記述する。
【０００６】
請求項１記載の発明は、剥離容易検査用塗料であって、
被検査体の表面に塗布し、被検査体の物理量の変化を検知する検査用塗料の一体的かつ容易な剥離を可能とするために、
引きはがし容易な塗料であって、前記引きはがしにより一体的に剥がれる剥離塗料と、前記被検査体の物理量の変化を検知することが可能な前記検査用塗料の混合体であることで、前記剥離塗料の助けを得て前記検査用塗料が容易に剥がれることを特徴とする。
【０００７】
請求項２記載の発明は、請求項１記載の剥離容易検査用塗料において、
前記剥離塗料と前記検査用塗料の混合比率を１／４以上としたことを特徴とする。
【０００８】
請求項３記載の発明は、検査用塗料の塗布構造であって、
被検査体の表面に塗布し、被検査体の物理量の変化を検知する検査用塗料の一体的かつ容易な剥離を可能とするために、
被検査体に、引きはがしにより一体的に剥がれる剥離塗料と塗料の物理量変化により被検査体の物理量の変化を検知することが可能な前記検査用塗料を順に重ねて塗布したことで、前記剥離塗料の助けを得て前記検査用塗料が容易に剥がれることを特徴とする。
【発明の効果】
【０００９】
以上の様に構成されているので、本発明によれば、必要なときに塗料をきれいに剥離することができる。
【図面の簡単な説明】
【００１０】
【図１】本発明にかかる検査用塗料の塗布構造及び剥離容易検査用塗料の一実施態様を示す図である。
【図２】本発明にかかる検査用塗料の塗布構造及び剥離容易検査用塗料の適用例を示す図である。
【図３】従来の感温検査具を示す図である。
【発明を実施するための形態】
【００１１】
本発明にかかる検査用塗料の塗布構造及び剥離容易検査用塗料では、検査用塗料の塗布構造は、被検査体に剥離塗料と検査用塗料を順に重ねて塗布した構造、又は、被検査体に剥離塗料と検査用塗料を混合塗布した構造であり、剥離容易検査用塗料は、剥離塗料と検査用塗料を混合したことを特徴とする。
以下図に沿って説明する。
【００１２】
図１は、本発明にかかる検査用塗料の塗布構造及び剥離容易検査用塗料の一実施態様を示す図である。
図２は、本発明にかかる検査用塗料の塗布構造及び剥離容易検査用塗料の適用例を示す図である。
図２において、検査用塗料を塗布する場所の例を示す。この例では、電気端子の端子付近の金属部分に感温塗料を塗布する例である。電気端子は、接続が緩むと電気抵抗が増加し、そこに電流が流れると発熱して端子温度が徐々に上昇する。これを火災に至る前に検査用塗料の色の変化で目視により検出する。勿論、色の変化を画像検出も可能である。
点線で囲んだ周辺に感温塗料を塗布することになる。従来の感温塗料の塗布では、これを綺麗に剥がすのは難しい。勿論、他の被塗布体に塗布する場合でも同様である。
図１では、図２の塗布場所の断面で被塗布体に対する塗料の塗布構造を示している。
１−Ａ、１−Ｂでは、被塗布体１１０の表面に、剥離塗料１２０、検査用塗料１３０の順番に塗布した構造であり、剥離塗料は簡単に剥離するので、一緒に検査用塗料も剥すことが可能である。
１−Ｃ、１−Ｄでは、被塗布体１１０の表面に、剥離塗料と検査用塗料の混合塗料１４０を塗布したものである。被塗布体１１０との接着特性は剥離塗料で決まるように、混合比を決める。１−Ａ、１−Ｂに比べて、１回塗布で行うことができるので、両者を混合した塗料のスプレー等を容易すれば便利である。
尚、混合比としては、剥離塗料／検査用塗料比で１／４以上、好ましくは、２／１以上が剥離性がよい。前者では色の変化がよいが、後者は剥離性がよい。どちらを選択してもよい。
剥離塗料、検査用塗料とも多くの例があるので使用することができ、検査用塗料が剥離塗料の助けを得て容易且つ一体的に綺麗に剥がすことができる。
【産業上の利用可能性】
【００１３】
以上のように本発明にかかる検査用塗料の塗布構造及び剥離容易検査用塗料では、所望の場合に古い塗布膜を容易に且つきれいに剥がすことができ、綺麗な表面に新たな塗布を行えるようになるため、処理が楽なだけでなく検査精度の確保も容易になり産業上利用して極めて好都合である。
【符号の説明】
【００１４】
３１  端子キャップ
３２  接続端子
３３  電線
３４  端子穴
３５  金属カシメ部
３６−３７  サーモタイ
３８  シール
１１０  被塗布体
１２０  剥離塗料
１３０  検査用塗料
１４０  剥離塗料と検査用塗料の混合塗料
【図１】
2018062594.tif 000003
【図２】
2018062594.tif 000004
【図３】
2018062594.tif 000005